(57)【特許請求の範囲】
【請求項１】
丸棒を軸末端部からフック部まで、断面を楕円形、近似楕円形、二面相似蒲鉾型又は二面相似菱形に形成された針の軸頭部を中空円錐形に加工し、中空円錐形に加工した軸末端部を軸部に巻きつけて固定した、針先から中空円錐形まで一本の素材によって一体式に作られた釣針。
【請求項２】
丸棒を軸末端部からフック部まで、断面を楕円形、近似楕円形、二面相似蒲鉾型又は二面相似菱形に形成された針の軸頭部を中空円錐形に加工し、中空円錐形に加工した軸末端部を軸部に巻きつけるか、共によじって固定した、針先から中空円錐形まで一本の素材によって一体式に作られた釣針。
【請求項３】
丸棒を軸末端部からフック部まで、断面を楕円形、近似楕円形、二面相似蒲鉾型又は二面相似菱形に形成された針の軸中央部を軸部が同じ長さの割りピン状形体の２軸部に成るように中空円錐形に加工し、２軸部を共によじって固定した、針先から中空円錐形まで一本の素材によって一体式に作られた釣針。
【請求項４】
丸棒を軸末端部からフック部まで、断面を楕円形、近似楕円形、二面相似蒲鉾型又は二面相似菱形に形成された針の軸中央部を軸部が同じ長さの割りピン状形体の２軸部に成るように中空円錐形に加工し、更に丸棒を軸末端部からフック部まで、断面を楕円形、近似楕円形、二面相似蒲鉾型又は二面相似菱形に形成された１本針の軸部を割りピン状に形成された２軸部に沿わせ、３本を共によじって固定し、一体化された釣針。
【請求項５】
丸棒を軸末端部からフック部まで、断面を楕円形、近似楕円形、二面相似蒲鉾型又は二面相似菱形に形成された針の軸中央部を軸部が、同じ長さの割りピン状形体の２軸に成るように中空円錐形に加工し、更に丸棒を軸末端部からフック部まで、断面を楕円形、近似楕円形、二面相似蒲鉾型又は二面相似菱形に形成された１本針の軸部を割りピン状に形成された２軸部に１本から希望本数を沿わせ、軸部を共によじって固定し、一体化した釣針。
【請求項６】
中空円錐形部の糸通し状態が、軸部と糸でＴ字形に成る状態を０度とし場合に、２度から８５度の間の糸通し角度に成るように、軸頭部を曲げ加工した請求項１、請求項２、請求項３、請求項４、請求項５のいずれかに記載の釣針。
【発明の詳細な説明】
【技術分野】
【発明の詳細な説明】
【０００１】当発明は１本針から複数の針まで、頭部を中空円錐形に加工してある為に軸頭部にハリスを結ばなくても、中空円錐形部にハリスを通し、ハリスに結び目を作る事で針が固定でき魚釣りが出来る。
従来は３本錨形、４本錨形、１０本錨形等の複数針を作る時にハリスに一本針の軸部を沿わせて結び糸で巻き、接着剤を使い固定しているが、一端錨形が崩れ熊手形に成ると魚が掛からない、更にルアー用の錨形針は希望本数を軸部に軸部を沿わせ軸部を半田付けによって固定されているが、当発明の針は接着剤も半田も不要である。
１本針は軸頭部を中空円錐形に加工する事で、高齢者、女性、子供と年齢、性別を問わず誰でも簡単にハリスに針が固定でき魚釣りが楽しめれ、更にフック部分も楕円形、近似楕円形、二面相似蒲鉾型、二面相似菱形に形成されている為に水流抵抗も軽減され、更にフック部が強固に出来、従来の針よりも細身に出来る。
【産業上の技術分野】
【０００２】レジャー用魚釣り、漁師等の魚釣等
【背景技術】
【０００３】軸頭部を官付形にした物、軸頭部の先端を潰した物、軸頭部を潰し、潰した箇所に穴を開けてある物、丸棒素材を軸中央部を曲げ、２軸にし、軸頭部を官付形にし、針の２軸部に１本針の１軸部を沿わせて半田付けされた物、ハリスに１本針の軸を沿わせ、固定糸で巻き、接着剤で固定する物があるが、官付形も軸頭部を潰して穴を開けた物も大型魚用でワイヤーロープを基本に考えられている。
又固定糸と接着剤を使い固定した錨形針は熊手形に成りやすく、熊手形に成ると魚が掛からない、
【発明が解決する為の課題】
【０００４】性別を問わず、子供から高齢者まで簡単に釣針が釣糸に固定できる方法と、鉛（半田付け）、巻き糸、接着剤を使わずに錨型針を作る。
【発明が解決する為の手段】
【０００５】半田付け、結び糸と接着剤を使わず、軽量かつ難しい知識が無い人達でも性別、年齢を問わず、誰でも簡単に釣糸に釣針が固定できる様に、軸頭部を中空円錐形に加工する。
【０００６】軸頭部を中空円錐形に加工し、曲げ戻した末端部を軸部に巻くか、共によじる事で大型魚にも、中空円錐形の中空部が破損したり、広がったりせず、ハリスの末端部に設けた、結び瘤が絞まり、ハリスが軸頭部の中空円錐形から、抜け出る事を防止出来る。
【０００７】軸部の中央を曲げ戻し、軸頭部を中空円錐形に加工し、軸部を２軸部にし、１本針の軸部を２軸部に希望本数を沿わせ共に軸部をよじって固定する事で接着剤、半田を使わず、錨形針が出来、更に軸頭部の中空円錐形部に糸を通し、糸の末端部に結び瘤を作るだけで良い、
【０００８】軸頭部の中空円錐形部を２度から８５度の希望角度に曲げる事で、軸頭部の中空円錐形部の先端箇所で、糸の折れ角度が軽減でき、糸切れを軽減出来る。
【発明の実態の形態】
【０００９】発明の実施形態を実施例に基づき図面を参照して説明する。
図１丸棒を軸頭部の中空円錐形からフック部までＡ、楕円形、Ｂ、近似楕円形、Ｃ、二面相似蒲鉾型、Ｄ二面相似菱形等に形成加工した断面図
【００１０】図２丸棒を楕円形、近似楕円形、二面相似蒲鉾型、二面相似菱形に形成し、軸頭部をＩ頭部の中空円錐形の狭い部分、フック方向をＦ中空円錐形の広い部分にＥ中空円錐形に加工し、曲げ戻したＨ軸末端部をＧ針の軸部に巻きつけ固定する。
【００１１】図３丸棒を楕円形、近似楕円形、二面相似蒲鉾型、二面相似菱形に形成し、軸頭部をＩ頭部の中空円錐形の狭い部分、フック方向をＦ中空円錐形の広い部分にＥ中空円錐形に加工し、曲げ戻したＨ軸末端部をＧ針の軸部と共によじり固定する。
【００１２】図４丸棒を楕円形、近似楕円形、二面相似蒲鉾型、二面相似菱形に形成し、軸頭部をＩ頭部の中空円錐形の狭い部分、フック方向をＦ中空円錐形の広い部分にＥ中空円錐形に加工し、軸部を曲げ戻し、軸部を２軸部にし、２軸部の軸部に１本針の１本の軸部を沿わせてＧ針の軸部を共によじり固定する。
【図面の簡単な説明】
【００１３】
【図１】丸棒を楕円形、近似楕円形、二面相似蒲鉾型、二面相似菱形に形成加工した図である。
【図２】丸棒を楕円形、近似楕円形、二面相似蒲鉾型、二面相似菱形に形成し、軸頭部をＥ中空円錐形に加工し、曲げ戻したＨ軸末端部をＧ針の軸部に巻きつけた軸頭部の部分図である。
【図３】丸棒を楕円形、近似楕円形、二面相似蒲鉾型、二面相似菱形に形成し、軸頭部をＥ中空円錐形に加工し、曲げ戻したＨ軸末端部をＧ針の軸部と共によじって固定した軸頭部の部分図である。
【図４】丸棒を楕円形、近似楕円形、二面相似蒲鉾型、二面相似菱形に形成し、軸頭部をＩ頭部の中空円錐形の狭い部分、フック方向をＦ中空円錐形の広い部分にＥ中空円錐形に加工し、軸部を曲げ戻し、軸部を同じ長さの２軸部にし、２軸部の軸部に１本針の１本を軸部を沿わせてＧ針の軸部を共によじり固定した図である。
【符合の説明】
Ａ  軸頭部からフック部までの楕円形
Ｂ  軸頭部からフック部までの近似楕円形
Ｃ  軸頭部からフック部までの二面相似蒲鉾型
Ｄ  軸頭部からフック部までの二面相似菱形
Ｅ  頭部の中空円錐形
Ｆ  頭部の中空円錐形の広い部分
Ｇ  針の軸部
Ｈ  図３は軸に軸末端部を巻き付けた部分図、図４は軸と軸末端部と共によじった部分図
Ｉ  頭部の中空円錐形の狭い部分
Ｊ  針先
Ｋ  フック部
【図１】
0004569891.tif 000002
【図２】
0004569891.tif 000003
【図３】
0004569891.tif 000004
【図４】
0004569891.tif 000005